(57)【特許請求の範囲】
【請求項１】
ブック型スキャナを用いて原稿読取台で読み取れる読取サイズよりも大きい原稿を２回に分けて読み取る画像読取方法において、
原稿読取台に対する読取原稿のセット位置を検出する第１のセンサと、
原稿読取台にセットされた読取原稿の原稿サイズを検出する第２のセンサを備え、
第１回の読み取りでは、読取原稿の左上端を原稿読取台の左上端に一致させるように載置して読み取り動作を行わせ、
第２回の読み取りでは、上記第１のセンサによる検出に基づいて、
上記第１回の読取態様から上記読取原稿を上記原稿読取台の上方向に移動させ原稿読取台の下辺に上記読取原稿の下端が一致するように載置して読取動作を行わせる移動読取態様、
あるいは、
上記第１回の読取態様から上記読取原稿の上下を逆転させて上記第１回の読取時に右下端であった端を原稿読取台の左上端に一致させるように載置して上記第１回の読取動作とはその原稿走査方向が逆転される態様に読取動作を行わせる逆転読取態様
のいずれか一方を行い、
上記第１のセンサおよび第２のセンサによる検出に基づいて、第１回の読取入力により得た第１の画像データと、第２回の読取入力により得た第２の画像データとを、その第２の読取入力時に適用された上記移動読取態様または上記逆転読取態様に応じた連結態様で連結し、元の原稿画像に対応した画像データを形成することを特徴とする原稿読取方法。
【請求項２】
前記第２の画像データは、第２回の読取入力の際の原稿のセット位置および原稿サイズに応じて、前記第１の画像データとの重複部分が削除されることを特徴とする請求項１記載の画像読取方法。
【請求項３】
前記第１の画像データは、前記第１回の読取入力の際の読取原稿のセット位置および原稿サイズに応じて、前記原稿読取台の原稿が載置されない部分の画像データが無効なデータとして取り扱われ、
前記第２の画像データは、前記第２回の読取入力の際の読取原稿のセット位置および原稿サイズに応じて、前記原稿読取台の原稿が載置されない部分の画像データが無効なデータとして取り扱われることを特徴とする請求項１または請求項２記載の原稿読取方法。
【発明の詳細な説明】
【０００１】
【発明の属する技術分野】
本発明は、ブック型スキャナを用いて原稿読取台で読み取れる読取サイズよりも大きい原稿を２回に分けて読み取る画像読取方法に関する。
【０００２】
【従来の技術】
近年、ファクシミリ装置の普及に伴い、小型でかつブック型スキャナを備えたファクシミリ装置も実用されている。このように、小型でかつブック型スキャナを備えたファクシミリ装置は、ブック原稿を直接送信できる小型のファクシミリ装置を実現でき、非常に便利である。
【０００３】
また、このようなブック型スキャナを備えたファクシミリ装置の中には、例えば、パーソナルコンピュータ装置のような他のデータ処理装置と接続するインターフェース手段を備え、その他のデータ処理装置に対して画像読取機能を提供するようにしたものも実用されている。
【０００４】
【発明が解決しようとする課題】
さて、ブック型スキャナでは、最大読取サイズが規定されている。例えば、通常、Ａ４サイズの原稿の読み取りができるブック型スキャナでは、Ａ３サイズの原稿の読み取りはできない。
【０００５】
このような場合にＡ３サイズの原稿を送信しようとするときには、例えば、Ａ３サイズの原稿をＡ４サイズに２つに折り曲げ、２ページの原稿として読み取り、相手端末に送信することが考えられる。
【０００６】
しかし、このような方法では、受信側で２ページの受信原稿をつなぎ合わせる手間がかかり、また、１ページ目の受信原稿と２ページ目の受信原稿のつなぎ目がずれた場合には、完全な原稿画像を再現できないという不都合を生じる。
【０００７】
本発明は、かかる実情に鑑みてなされたものであり、小型のブック型スキャナを用いて大きなサイズの原稿画像を読み取り入力することができる画像読取方法を提供することを目的としている。
【０００８】
【課題を解決するための手段】
本発明は、ブック型スキャナを用いて原稿読取台で読み取れる読取サイズよりも大きい原稿を２回に分けて読み取る画像読取方法において、原稿読取台に対する読取原稿のセット位置を検出する第１のセンサと、原稿読取台にセットされた読取原稿の原稿サイズを検出する第２のセンサを備え、第１回の読み取りでは、読取原稿の左上端を原稿読取台の左上端に一致させるように載置して読み取り動作を行わせ、第２回の読み取りでは、上記第１のセンサによる検出に基づいて、上記第１回の読取態様から上記読取原稿を上記原稿読取台の上方向に移動させ原稿読取台の下辺に上記読取原稿の下端が一致するように載置して読取動作を行わせる移動読取態様、あるいは、上記第１回の読取態様から上記読取原稿の上下を逆転させて上記第１回の読取時に右下端であった端を原稿読取台の左上端に一致させるように載置して上記第１回の読取動作とはその原稿走査方向が逆転される態様に読取動作を行わせる逆転読取態様のいずれか一方を行い、上記第１のセンサおよび第２のセンサによる検出に基づいて、第１回の読取入力により得た第１の画像データと、第２回の読取入力により得た第２の画像データとを、その第２の読取入力時に適用された上記移動読取態様または上記逆転読取態様に応じた連結態様で連結し、元の原稿画像に対応した画像データを形成するようにしたものである。
【０００９】
また、前記第２の画像データは、第２回の読取入力の際の原稿のセット位置および原稿サイズに応じて、前記第１の画像データとの重複部分を削除するようにしたものである。
【００１０】
また、前記第１の画像データは、前記第１回の読取入力の際の読取原稿のセット位置および原稿サイズに応じて、前記原稿読取台の原稿が載置されない部分の画像データが無効なデータとして取り扱われ、前記第２の画像データは、前記第２回の読取入力の際の読取原稿のセット位置および原稿サイズに応じて、前記原稿読取台の原稿が載置されない部分の画像データが無効なデータとして取り扱われるようにしたものである。
【００１２】
【発明の実施の形態】
以下、添付図面を参照しながら、本発明の実施の形態を詳細に説明する。
【００１３】
図１は、本発明の一実施例にかかるグループ３ファクシミリ装置を示している。
【００１４】
同図において、制御部１は、このファクシミリ装置の各部の制御処理、および、ファクシミリ伝送制御手順処理を行うものであり、システムメモリ２は、制御部１が実行する制御処理プログラム、および、処理プログラムを実行するときに必要な各種データなどを記憶するとともに、制御部１のワークエリアを構成するものであり、パラメータメモリ３は、このグループ３ファクシミリ装置に固有な各種の情報を記憶するためのものである。
【００１５】
スキャナ４は、所定の解像度で原稿画像を読み取るためのものであり、ブック型スキャナから構成されている。また、プロッタ５は、所定の解像度で画像を記録出力するためのものであり、操作表示部６は、このファクシミリ装置を操作するためのもので、各種の操作キー、および、各種の表示器からなる。
【００１６】
符号化復号化部７は、画信号を符号化圧縮するとともに、符号化圧縮されている画情報を元の画信号に復号化するためのものであり、画像蓄積装置８は、符号化圧縮された状態の画情報を多数記憶するためのものである。
【００１７】
グループ３ファクシミリモデム９は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００１８】
網制御装置１０は、このファクシミリ装置を公衆電話回線網に接続するためのものであり、自動発着信機能を備えている。
【００１９】
これらの、制御部１、システムメモリ２、パラメータメモリ３、スキャナ４、プロッタ５、操作表示部６、符号化復号化部７、画像蓄積装置８、グループ３ファクシミリモデム９、および、網制御装置１０は、内部バス１１に接続されており、これらの各要素間でのデータのやりとりは、主としてこの内部バス１１を介して行われている。
【００２０】
また、網制御装置１０とグループ３ファクシミリモデム９との間のデータのやりとりは、直接行なわれている。
【００２１】
図２は、スキャナ４の原稿読取台近傍の構成の一例を示している。
【００２２】
同図において、コンタクトガラスＣＣは、ガラス等の透明材質からなり、読取原稿を載置するためのものである。読取原稿は、このコンタクトガラスＣＣに対して、読取画像が記録された原稿面を伏せる態様で載置される。
【００２３】
また、このコンタクトガラスＣＣは、Ａ４サイズの原稿サイズにほぼ等しい寸法を備えており、図示のように、横長の態様に配設され、その短辺が、スキャナ４におけるＣＣＤラインイメージセンサ（図示略）の主走査方向に一致するように規定されている。したがって、図示しない光学系により、読取線がコンタクトガラスＣＣの長辺方向に移動され、原稿画像の副走査がなされる。なお、本実施例では、主走査方向の読取方向は一方向（正）のみである。
【００２４】
そして、Ｂ５サイズ、Ａ４サイズ、Ｂ４サイズ、Ａ３サイズの各読取原稿は、コンタクトガラスＣＣの左端を基準に位置合わせされてその原稿画像が読み取られる。また、原稿センサＳ１，Ｓ２，Ｓ３，Ｓ４は、それぞれＢ５サイズ、Ａ４サイズ、Ｂ４サイズ、Ａ３サイズの原稿を検出するためのものである。
【００２５】
このような読み取り態様においては、いずれの原稿サイズも、１度の読取動作では、その全ての原稿画像の内容を読み取ることができないので、本実施例では、いずれの原稿サイズでも、読取原稿は、２回の読取動作でその１ページ分の原稿画像が読み取られることとなる。
【００２６】
例えば、Ａ３サイズの原稿ＰＡ３の画像を読取入力するときには、図３（ａ）に示すように、第１回の読み取りでは、同図の上のように、原稿ＰＡ３の左上端をコンタクトガラスＣＣの左上端に一致させるように載置して読取動作を行わせ、次に、第２回の読み取りでは、同図の下のように、第１回の読み取り態様から原稿ＰＡ３を回転させて、第１回の読取時に右下端であった端を、コンタクトガラスＣＣの左上端に一致させるように載置して、読取動作を行わせる。以下、このような読取態様を逆転読取という。
【００２７】
あるいは、同図（ｂ）に示すように、第１回の読み取りは逆転読み取りと同一の読取態様で、第２回の読み取りでは、第１回の読取態様から上方向に原稿ＰＡ３を移動させ、同図の下のように、コンタクトガラスＣＣの下側に原稿ＰＡ３の下端が一致するように載置して、読取動作を行わせる。以下、このような読取態様を移動読み取りという。
【００２８】
また、逆転読み取りの場合、第１回と第２回でともに方向センサＳＤが原稿ＰＡ３を検出しない。これに対し、移動読み取りの場合、第１回では方向センサＳＤが原稿ＰＡ３を検出しないが、第２回では方向センサＳＤが原稿ＰＡ３を検出する。
【００２９】
このようにして、Ａ３サイズの原稿ＰＡ３を読取入力するときには、スキャナ４の読取動作が２回必要であり、その読み取り態様としては、逆転読取あるいは移動読み取りのいずれかの読取方法を用いることができる。また、逆転読取あるいは移動読み取りのいずれの読取方法が用いられたかの判定は、第２回の読取動作において、方向センサＳＤが原稿ＰＡ３を検出したか否かにより行うことができる。すなわち、第２回の読取動作において、方向センサＳＤが原稿ＰＡ３を検出しているときには移動読み取りの読取方法が採用されたと判断でき、第２回の読取動作において、方向センサＳＤが原稿ＰＡ３を検出していないときには逆転読み取りの読取方法が採用されたと判断することができる。
【００３０】
逆転読み取りの場合、第１回の読取動作により得られる画像データＭＡ１は、図４（ａ）に示すような態様であり、第２回の読取動作により得られる画像データＭＡ２は、同図（ｂ）に示すような態様である。ここで、図において、実線の枠は１回の画像読取により得られる画像データをあらわし、その画像データの短辺方向がスキャナ４の主走査方向に一致し、画像データの長辺方向がスキャナ４の副走査方向に一致する。
【００３１】
このような画像データＭＡ１と画像データＭＡ２に基づいて、原稿ＰＡ３の１ページ分の画像データを構成するためには、画像データＭＡ２を図の時計回りに９０度回転させて画像データＭＡ２ａ（図４（ｄ）参照）を形成し、画像データＭＡ１と画像データＭＡ２ａを連結することで、１ページ分の画像データを構成することができる（図４（ｃ），（ｄ）参照）。ただし、このようにして形成した画像データを相手端末に送信するときには、スキャナ４の副走査方向を送信画像の主走査方向に変換する処理が必要となる。
【００３２】
また、移動読み取りの場合、第１回の読取動作により得られる画像データＭＩ１は、図５（ａ）に示すような態様であり、第２回の読取動作により得られる画像データＭＩ２は、同図（ｂ）に示すような態様である。
【００３３】
このような画像データＭＩ１と画像データＭＩ２に基づいて、原稿ＰＡ３の１ページ分の画像データを構成するためには、画像データＭＩ１と画像データＭＩ２を連結すればよい。ただし、このようにして形成した画像データを相手端末に送信するときには、スキャナ４の副走査方向を送信画像の主走査方向に変換する処理が必要となる。
【００３４】
また、Ａ３サイズよりも小さい原稿サイズの場合には、次のように読取動作を行う。
【００３５】
例えば、Ｂ４サイズの原稿ＰＢ４の画像を読取入力するときには、図６（ａ）に示すように、第１回の読み取りでは、同図の上のように、原稿ＰＢ４の左上端をコンタクトガラスＣＣの左上端に一致させるように載置して読取動作を行わせ、次に、第２回の読み取りでは、同図の下のように、第１回の読み取り態様から原稿ＰＢ４を回転させて、第１回の読取時に右下端であった端を、コンタクトガラスＣＣの左上端に一致させるように載置して、読取動作を行わせる。以下、このような読取態様も逆転読取という。
【００３６】
この場合、第２回の原稿読取時には、コンタクトガラスＣＣの下辺から寸法ＬＡの部分が、第１回の原稿読み取りと重複することとなる。したがって、後の画像データの連結時には、この部分の重複を避ける態様に処理を行う必要がある。それとともに、第１回と第２回とで、それぞれコンタクトガラスＣＣの右端の部分には原稿ＰＢ４がないので、読取後の処理において、この部分の画像データを無効なデータとして取り扱う必要がある。なお、この第１回と第２回とで重複する画像部分、および、第１回および第２回で原稿が配置されない部分は、Ａ３サイズよりも小さい原稿サイズの場合、おのおのの原稿サイズで既知な固有寸法だけ現れるので、その原稿サイズに応じた処理を行うことができる。
【００３７】
あるいは、同図（ｂ）に示すように、第１回の読み取りは逆転読み取りと同一の読取態様で、第２回の読み取りでは、第１回の読取態様から上方向に原稿ＰＢ４を移動させ、同図の下のように、コンタクトガラスＣＣの下側に原稿ＰＢ４の下端が一致するように載置して、読取動作を行わせる。以下、このような読取態様も移動読み取りという。
【００３８】
またこの場合、第２回の原稿読取時には、コンタクトガラスＣＣの上辺から寸法ＬＡの部分が、第１回の原稿読み取りと重複することとなる。したがって、後の画像データの連結時には、この部分の重複を避ける態様に処理を行う必要がある。それとともに、逆転読み取りの際と同様に、第１回と第２回とで、それぞれコンタクトガラスＣＣの右端の原稿ＰＢ４がない部分については、読取後の処理において、この部分の画像データを無効なデータとして取り扱う必要がある。なお、この第１回と第２回とで重複する画像部分、および、第１回および第２回で原稿が配置されない部分は、Ａ３サイズよりも小さい原稿サイズの場合、おのおのの原稿サイズで既知な固有寸法だけ現れるので、その原稿サイズに応じた処理を行うことができる。
【００３９】
また、逆転読み取りの場合、第１回と第２回でともに方向センサＳＤが原稿ＰＢ４を検出しない。これに対し、移動読み取りの場合、第１回では方向センサＳＤが原稿ＰＢ４を検出しないが、第２回では方向センサＳＤが原稿ＰＢ４を検出する。
【００４０】
このようにして、Ｂ４サイズの原稿ＰＢ４を読取入力するときには、スキャナ４の読取動作が２回必要であり、その読み取り態様としては、逆転読取あるいは移動読み取りのいずれかの読取方法を用いることができる。また、逆転読取あるいは移動読み取りのいずれの読取方法が用いられたかの判定は、第２回の読取動作において、方向センサＳＤが原稿ＰＢ４を検出したか否かにより行うことができる。すなわち、第２回の読取動作において、方向センサＳＤが原稿ＰＢ４を検出しているときには移動読み取りの読取方法が採用されたと判断でき、第２回の読取動作において、方向センサＳＤが原稿ＰＢ４を検出していないときには逆転読み取りの読取方法が採用されたと判断することができる。
【００４１】
逆転読み取りの場合、第１回の読取動作により得られる画像データＭＢ１は、図７（ａ）に示すような態様であり、第２回の読取動作により得られる画像データＭＢ２は、同図（ｂ）に示すような態様である。ここで、図において、実線の枠は１回の画像読取により得られる画像データをあらわし、その画像データの短辺方向がスキャナ４の主走査方向に一致し、画像データの長辺方向がスキャナ４の副走査方向に一致する。また、第１回の部分ＳＤ１と第２回の部分ＳＤ２については、無効なデータが記憶される。また、第２回の部分ＤＤ１のデータは、第１回の画像データと重複するデータである。
【００４２】
このような画像データＭＢ１と画像データＭＢ２に基づいて、原稿ＰＢ４の１ページ分の画像データを構成するためには、まず、画像データＭＢ１から部分ＳＤ１の画像データを削除するとともに、画像データＭＢ２を図の時計回りに９０度回転させて画像データＭＢ２ａを形成し、この画像データＭＢ２ａの部分ＳＤ２’と部分ＤＤ１’を削除し、それらの削除処理後の画像データＭＢ１と画像データＭＢ２ａを連結するとよい（図７（ｃ），（ｄ）参照）。ただし、このようにして形成した画像データを相手端末に送信するときには、スキャナ４の副走査方向を送信画像の主走査方向に変換する処理が必要となる。
【００４３】
また、移動読み取りの場合、第１回の読取動作により得られる画像データＭＨ１は、図８（ａ）に示すような態様であり、第２回の読取動作により得られる画像データＭＨ２は、同図（ｂ）に示すような態様である。
【００４４】
このような画像データＭＨ１と画像データＭＨ２に基づいて、原稿ＰＢ４の１ページ分の画像データを構成するためには、画像データＭＨ１から部分ＳＤ１の画像データを削除し、画像データＭＨ２から部分ＳＤ２および部分ＤＤ２の画像データを削除し、それらの削除処理後の画像データＭＨ１と画像データＭＨ２を連結すればよい。ただし、このようにして形成した画像データを相手端末に送信するときには、スキャナ４の副走査方向を送信画像の主走査方向に変換する処理が必要となる。
【００４５】
この場合の１ページ分の原稿画像の読取動作の処理例を図９に示す。
【００４６】
画像読取のスタートが指示されると（判断１０１の結果がＹＥＳ）、センサＳ１，Ｓ２，Ｓ３，Ｓ４の検出信号に基づいて、セットされた原稿の原稿サイズを検出する（処理１０２）。この場合、センサＳ１のみが原稿検出している状態では、原稿サイズをＢ５として判定し、センサＳ１，Ｓ２が原稿検出している状態では、原稿サイズをＡ４として判定し、センサＳ１，Ｓ２，Ｓ３が原稿検出している状態では、原稿サイズをＢ４として判定し、センサＳ１，Ｓ２，Ｓ３，Ｓ４が原稿検出している状態では、原稿サイズをＡ４として判定する。
【００４７】
そして、スキャナ４に１回のスキャン動作を行わせて、それによって得た画像データを、第１回の読取画像の画像データとして保存する（処理１０３）。
【００４８】
次いで、例えば、「原稿を反転または移動して、読み取っていない部分を読み取れるようにセットして、スタートキーをオンしてください。」という第２回の原稿読み取りを指示するガイダンスメッセージを表示して、操作表示部６のスタートキー（図示略）がオンされるまで待つ（処理１０４、判断１０５のＮＯループ）。
【００４９】
ユーザが原稿を置き換えて、スタートキーをオンし、判断１０５の結果がＹＥＳになると、方向センサＳＤおよびセンサＳ１，Ｓ２，Ｓ３，Ｓ４の検出信号に基づいて、セットされた原稿の方向、および、原稿サイズを検出する（処理１０６）。この場合、方向センサＳＤが原稿を検出しているときには、移動読み取りで読み取り動作が行われたと判定し、方向センサＳＤが原稿を検出していないときには、逆転読み取りで読み取り動作が行われたと判定する。また、原稿サイズの判定方法は、上述した方法と同様の方法を適用できる。
【００５０】
そして、スキャナ４に１回のスキャン動作を行わせ、それによって得た画像データを、第２回の読取画像の画像データとして保存する（処理１０７）。
【００５１】
次いで、第１回の画像データと第２回の画像データを、上述した方法により連結して１ページ分の原稿画像の画像データを形成し（処理１０８）、その形成した画像データを保存して（処理１０９）、この処理を終了する。
【００５２】
このようにして、本実施例では、小型のスキャナ４を用いて、大判の原稿画像を読み取ることができるので、大判の原稿を送信できるファクシミリ装置を小型に構成することができる。
【００５３】
ところで、上述した実施例では、コンタクトガラスＣＣにおける主走査方向を一定にしているが、第１回の主走査を正方向で行い、第２回の主走査を逆方向に行うことが考えられる。
【００５４】
この場合、スキャナ４において、図１０に示すように、画像データを出力する出力回路の部分で、ＣＣＤラインイメージセンサの出力順と逆順に画像データを並び替える。
【００５５】
すなわち、同図において、ＣＣＤラインイメージセンサＬＳは、コンタクトガラスＣＣに設定される読取線（主走査線）上の１ライン分の画像データを読み取って、所定数の画素に分解するものであり、その出力信号ＰＰは、アナログ処理回路ＡＰに加えられている。
【００５６】
アナログ処理回路ＡＰは、信号ＰＰに対して、所定の画像処理（例えば、シェーディング補正処理、ＭＴＦ補正処理等）を行うものであり、その出力信号ＰＰａは、アナログ／デジタル変換器ＡＣに加えられている。
【００５７】
アナログ／デジタル変換器ＡＣは、入力される信号ＰＰａを対応する値の所定ビット数のデジタル信号ＰＰｂに変換するものであり、その出力信号は、出力回路ＯＴに加えられている。
【００５８】
出力回路ＯＴは、１ライン分のデジタル信号ＰＰｂを記憶するとともに、スキャナ４の制御部（図示略）より加えられる制御信号ＳＳ２により正方向が指示されている場合には、記憶した１ライン分のデジタル信号ＰＰｂを、入力順に順次出力し、また、制御信号ＳＳ２により逆方向が指示されている場合には、記憶した１ライン分のデジタル信号ＰＰｂを、入力とは逆順に順次出力するものであり、その出力信号は、画像データＰＤとして、次段装置に出力される。
【００５９】
また、駆動部ＤＶは、制御部より出力される制御信号ＳＳ１に基づき、ＣＣＤラインイメージセンサＬＳを所定タイミングで駆動するための同期信号ＳＹを出力するものであり、この同期信号ＳＹは、ＣＣＤラインイメージセンサＬＳ、アナログ処理回路ＡＰ、アナログ／デジタル変換器ＡＣ、および、出力回路ＯＴにそれぞれ出力されている。
【００６０】
この場合の第１回の読取動作と第２回の読取動作で得た画像データの連結処理について、次に説明する。
【００６１】
Ａ３サイズの原稿ＰＡ３を逆転読み取りする場合、第１回の読取動作により得られる画像データＮＡ１は、図１１（ａ）に示すような態様であり、第２回の読取動作により得られる画像データＮＡ２は、主走査方向が逆転するので、同図（ｂ）に示すような態様である。ここで、図において、実線の枠は１回の画像読取により得られる画像データをあらわし、その画像データの短辺方向がスキャナ４の主走査方向に一致し、画像データの長辺方向がスキャナ４の副走査方向に一致する。
【００６２】
このような画像データＮＡ１と画像データＮＡ２に基づいて、原稿ＰＡ３の１ページ分の画像データを構成するためには、画像データＮＡ２を副走査方向に反転させて画像データＮＡ２’を形成し、画像データＮＡ１と画像データＮＡ２’を連結することで、１ページ分の画像データを構成することができる。ただし、このようにして形成した画像データを相手端末に送信するときには、スキャナ４の副走査方向を送信画像の主走査方向に変換する処理が必要となる。
【００６３】
また、移動読み取りの場合、第１回の読取動作により得られる画像データＮＩ１は、図１２（ａ）に示すような態様であり、第２回の読取動作により得られる画像データＮＩ２は、主走査方向が逆転するので、同図（ｂ）に示すような態様である。
【００６４】
このような画像データＮＩ１と画像データＮＩ２に基づいて、原稿ＰＡ３の１ページ分の画像データを構成するためには、画像データＮＩ２を主走査方向に反転させて画像データＮＩ２’を形成し、画像データＮＩ１と画像データＮＩ２’を連結することで、１ページ分の画像データを構成することができる。ただし、このようにして形成した画像データを相手端末に送信するときには、スキャナ４の副走査方向を送信画像の主走査方向に変換する処理が必要となる。
【００６５】
また、Ａ３サイズよりも小さい原稿サイズの場合には、次のように読取動作を行う。
【００６６】
例えば、Ｂ４サイズの原稿ＰＢ４を逆転読み取りする場合、第１回の読取動作により得られる画像データＮＢ１は、図１３（ａ）に示すような態様であり、第２回の読取動作により得られる画像データＮＢ２は、主走査方向が逆転するので、同図（ｂ）に示すような態様である。ここで、図において、実線の枠は１回の画像読取により得られる画像データをあらわし、その画像データの短辺方向がスキャナ４の主走査方向に一致し、画像データの長辺方向がスキャナ４の副走査方向に一致する。また、第１回の部分ＳＤ５と第２回の部分ＳＤ６については、無効なデータが記憶される。また、第２回の部分ＤＤ３のデータは、第１回の画像データと重複するデータである。
【００６７】
このような画像データＮＢ１と画像データＮＢ２に基づいて、原稿ＰＢ４の１ページ分の画像データを構成するためには、まず、画像データＮＢ１から部分ＳＤ５の画像データを削除するとともに、画像データＮＢ２を副走査方向に反転させて画像データＮＢ２’を形成し、この回転させた画像データＮＢ２’の部分ＳＤ３’と部分ＤＤ３’を削除し、それらの削除処理後の画像データＮＢ１と画像データＮＢ２’を連結するとよい（図１３（ｃ），（ｄ）参照）。ただし、このようにして形成した画像データを相手端末に送信するときには、スキャナ４の副走査方向を送信画像の主走査方向に変換する処理が必要となる。
【００６８】
また、移動読み取りの場合、第１回の読取動作により得られる画像データＮＢ３は、図１４（ａ）に示すような態様であり、第２回の読取動作により得られる画像データＮＢ４は、主走査方向が逆転するので、同図（ｂ）に示すような態様である。ここで、図において、実線の枠は１回の画像読取により得られる画像データをあらわし、その画像データの短辺方向がスキャナ４の主走査方向に一致し、画像データの長辺方向がスキャナ４の副走査方向に一致する。また、第１回の部分ＳＤ７と第２回の部分ＳＤ８については、無効なデータが記憶される。また、第２回の部分ＤＤ４のデータは、第１回の画像データと重複するデータである。
【００６９】
このような画像データＮＢ３と画像データＮＢ４に基づいて、原稿ＰＢ４の１ページ分の画像データを構成するためには、まず、画像データＮＢ３から部分ＳＤ７の画像データを削除するとともに、画像データＮＢ２を主走査方向に反転させて画像データＮＢ４’を形成し、この反転させた画像データＮＢ４’の部分ＳＤ８’と部分ＤＤ４’を削除し、それらの削除処理後の画像データＮＢ３と画像データＮＢ４’を連結するとよい（図１４（ｃ），（ｄ）参照）。ただし、このようにして形成した画像データを相手端末に送信するときには、スキャナ４の副走査方向を送信画像の主走査方向に変換する処理が必要となる。
【００７０】
この場合の１ページ分の原稿画像の読取動作の処理例を図１５に示す。
【００７１】
画像読取のスタートが指示されると（判断２０１の結果がＹＥＳ）、センサＳ１，Ｓ２，Ｓ３，Ｓ４の検出信号に基づいて、セットされた原稿の原稿サイズを検出する（処理２０２）。この場合、センサＳ１のみが原稿検出している状態では、原稿サイズをＢ５として判定し、センサＳ１，Ｓ２が原稿検出している状態では、原稿サイズをＡ４として判定し、センサＳ１，Ｓ２，Ｓ３が原稿検出している状態では、原稿サイズをＢ４として判定し、センサＳ１，Ｓ２，Ｓ３，Ｓ４が原稿検出している状態では、原稿サイズをＡ４として判定する。
【００７２】
そして、スキャナ４の主走査方向を正方向にセットし（処理２０３）、スキャナ４に１回のスキャン動作を行わせて、それによって得た画像データを、第１回の読取画像の画像データとして保存する（処理２０４）。
【００７３】
次いで、例えば、「原稿を反転または移動して、読み取っていない部分を読み取れるようにセットして、スタートキーをオンしてください。」という第２回の原稿読み取りを指示するガイダンスメッセージを表示して、操作表示部６のスタートキー（図示略）がオンされるまで待つ（処理２０５、判断２０６のＮＯループ）。
【００７４】
ユーザが原稿を置き換えて、スタートキーをオンし、判断２０６の結果がＹＥＳになると、方向センサＳＤおよびセンサＳ１，Ｓ２，Ｓ３，Ｓ４の検出信号に基づいて、セットされた原稿の方向、および、原稿サイズを検出する（処理２０７）。この場合、方向センサＳＤが原稿を検出しているときには、移動読み取りで読み取り動作が行われたと判定し、方向センサＳＤが原稿を検出していないときには、逆転読み取りで読み取り動作が行われたと判定する。また、原稿サイズの判定方法は、上述した方法と同様の方法を適用できる。
【００７５】
そして、スキャナ４の主走査方向を逆方向にセットし（処理２０８）、スキャナ４に１回のスキャン動作を行わせ、それによって得た画像データを、第２回の読取画像の画像データとして保存する（処理２０９）。
【００７６】
次いで、第１回の画像データと第２回の画像データを、上述した方法により連結して１ページ分の原稿画像の画像データを形成し（処理２１０）、その形成した画像データを保存して（処理２１１）、この処理を終了する。
【００７７】
なお、上述した実施例では、本発明をグループ３ファクシミリ装置に適用した場合について説明したが、本発明は、それ以外の画像読取装置についても同様にして適用することができる。
【００７８】
【発明の効果】
以上説明したように、本発明によれば、小型のスキャナを用いて、大判の原稿画像を読み取ることができるので、大判の原稿を送信できるファクシミリ装置を小型に構成することができるという効果を得る。
【図面の簡単な説明】
【図１】本発明の一実施例にかかるグループ３ファクシミリ装置の構成例を示したブロック図。
【図２】スキャナの原稿読取台近傍の構成の一例を示した概略構成図。
【図３】Ａ３サイズの原稿ＰＡ３の画像を読取入力するときの操作について説明するための概略図。
【図４】原稿ＰＡ３を逆転読み取りした場合の画像の連結の一例を説明するための概略図。
【図５】原稿ＰＡ３を移動読み取りした場合の画像の連結の一例を説明するための概略図。
【図６】Ｂ４サイズの原稿ＰＢ４の画像を読取入力するときの操作について説明するための概略図。
【図７】原稿ＰＢ４を逆転読み取りした場合の画像の連結の一例を説明するための概略図。
【図８】原稿ＰＢ４を移動読み取りした場合の画像の連結の一例を説明するための概略図。
【図９】１ページ分の原稿画像の読取動作の処理例を示したフローチャート。
【図１０】本発明の他の実施例にかかるスキャナの信号処理系の概略例を示したブロック図。
【図１１】Ａ３サイズの原稿ＰＡ３を逆転読み取りした場合の画像の連結の他の例を説明するための概略図。
【図１２】原稿ＰＡ３を移動読み取りした場合の画像の連結の他の例を説明するための概略図。
【図１３】Ｂ４サイズの原稿ＰＢ４を逆転読み取りした場合の画像の連結の他の例を説明するための概略図。
【図１４】原稿ＰＢ４を移動読み取りした場合の画像の連結の他の例を説明するための概略図。
【図１５】１ページ分の原稿画像の読取動作の処理の他の例を示したフローチャート。
【図１】
0003556768.tif 000002
【図２】
0003556768.tif 000003
【図３】
0003556768.tif 000004
【図４】
0003556768.tif 000005
【図５】
0003556768.tif 000006
【図６】
0003556768.tif 000007
【図７】
0003556768.tif 000008
【図８】
0003556768.tif 000009
【図９】
0003556768.tif 000010
【図１０】
0003556768.tif 000011
【図１１】
0003556768.tif 000012
【図１２】
0003556768.tif 000013
【図１３】
0003556768.tif 000014
【図１４】
0003556768.tif 000015
【図１５】
0003556768.tif 000016